(57)【特許請求の範囲】
【請求項１】
一対の漏液検知電極の終端側が終端素子を介して接続された前記両漏液検知電極の始端側が接続されるものであって、
一方の漏液検知電極に前記終端素子で遮断される漏液検出用信号を送信するとともに、他方の漏液検知電極からの信号を受信して漏液を検出する漏液検出モードと、一方の漏液検知電極に前記終端素子を通過する断線検出用信号を送信するとともに、他方の漏液検知電極からの信号を受信して断線を検出する断線検出モードとを備え、
さらに、前記一方の漏液検知電極に前記漏液検出用信号および前記断線検出用信号を送信する信号送信部と、他方の漏液検知電極からの信号を受信する第１信号受信部と、第２信号受信部とを備え、
前記両漏液検知電極の前記始端側が、配線用ケーブルを介して接続されるものであり、
該配線用ケーブル内の複数の芯線のうちの１つの芯線（送信芯線）の一端側が前記信号送信部に接続されるとともに、前記送信芯線の他端側が一方の漏液検知電極の始端側に接続され、
前記複数の芯線のうちの別の芯線（第１受信芯線）の一端側が前記第１信号受信部に接続されるとともに、前記第１受信芯線の他端側が他方の漏液検知電極の始端側に接続され、
前記複数の芯線のうち残りの芯線（第２受信芯線）の一端側が前記第２信号受信部に接続されるとともに、前記第２受信芯線の他端側が前記両漏液検知電極のいずれに対しても無接続とされ、
前記両受信芯線それぞれの一端側より前記両信号受信部に個別に入力されたときの各ノイズ成分が、前記各芯線間の浮遊容量により同相状態となるようにしたことを特徴とする漏液検出器。
【請求項２】
前記終端素子が、ツェナーダイオードである請求項１記載の漏液検出器。
【請求項３】
前記漏液検出モードを、所定の時間間隔で前記断線検出モードに切り換える請求項１または２記載の漏液検出器。
【請求項４】
一対の漏液検知電極を有して漏液検知箇所に配置される漏液センサと、前記一対の漏液検知電極の終端側を接続する終端素子と、前記一対の漏液検知電極の始端側が接続される請求項１ないし３のいずれかに記載の漏液検出器とを備えることを特徴とする漏液検出システム。
【発明の詳細な説明】
【０００１】
【発明の属する技術分野】
本発明は、建物内部の壁面、床面、装置表面、その他に付着する水、薬液、その他の液体（流動体、半流動体等を含む）を検知する漏液検出システムおよびこれに用いる漏液検出器に関するものである。
【０００２】
【従来の技術】
従来、漏液検出箇所に配置される漏液センサと、漏液センサの出力から漏液を検出する漏液検出器とを備えた漏液検出システムがある。このシステムで用いられる漏液センサには、絶縁被膜内に２本の導体を一定の間隔を保って収納するとともに、その絶縁被膜を前記両導体両側縁で部分的に欠如させることで両導体を部分的に外部に露出させ、それぞれの露出導体部分を一対の漏液検知電極として構成された漏液検知帯がある。
【０００３】
このような漏液検知帯を漏液センサとして用いた漏液検出システムにおいては、一対の漏液検知電極の一方の漏液検知電極に、漏液検出用信号を与えておき、薬液などが漏液していない状態では、一対の漏液検知電極間が電気的に開放しているので、他方の漏液検知電極から前記漏液検出用信号に対応した出力が得られず、また、薬液などが漏液して一対の漏液検知電極が薬液で電気的に短絡すると、他方の漏液検知電極から前記漏液検出用信号に対応する出力が得られることになり、これによって漏液を検出するものである。
【０００４】
【発明が解決しようとする課題】
ところが、このような従来例の漏液検出システムでは、漏液検知帯と漏液検出器との間の配線が断線している場合には、漏液が生じていても、それを検出することができず、あたかも漏液が生じていない正常な状態であると誤って判断されることになる。
【０００５】
本発明は、上述の点に鑑みて為されたものであって、断線を検出できる漏液検出器およびそれを用いた漏液検出システムを提供することを目的とする。
【０００６】
【課題を解決するための手段】
本発明では、上述の目的を達成するために、次のように構成している。
【０００７】
すなわち、本発明の漏液検出器は、一対の漏液検知電極の終端側が終端素子を介して接続された前記両漏液検知電極の始端側が接続されるものであって、一方の漏液検知電極に前記終端素子で遮断される漏液検出用信号を送信するとともに、他方の漏液検知電極からの信号を受信して漏液を検出する漏液検出モードと、一方の漏液検知電極に前記終端素子を通過する断線検出用信号を送信するとともに、他方の漏液検知電極からの信号を受信して断線を検出する断線検出モードとを備え、さらに、前記一方の漏液検知電極に前記漏液検出用信号および前記断線検出用信号を送信する信号送信部と、他方の漏液検知電極からの信号を受信する第１信号受信部と、第２信号受信部とを備え、前記両漏液検知電極の前記始端側が、配線用ケーブルを介して接続されるものであり、該配線用ケーブル内の複数の芯線のうちの１つの芯線（送信芯線）の一端側が前記信号送信部に接続されるとともに、前記送信芯線の他端側が一方の漏液検知電極の始端側に接続され、前記複数の芯線のうちの別の芯線（第１受信芯線）の一端側が前記第１信号受信部に接続されるとともに、前記第１受信芯線の他端側が他方の漏液検知電極の始端側に接続され、前記複数の芯線のうち残りの芯線（第２受信芯線）の一端側が前記第２信号受信部に接続されるとともに、前記第２受信芯線の他端側が前記両漏液検知電極のいずれに対しても無接続とされ、前記両受信芯線それぞれの一端側より前記両信号受信部に個別に入力されたときの各ノイズ成分が、前記各芯線間の浮遊容量により同相状態となるようにしたことを特徴とする。
【０００８】
本発明によると、漏液検出モードでは、漏液検出用信号が終端素子で遮断されるので、漏液が生じて一対の漏液検知電極が液体で電気的に短絡していない限り、一方の漏液検知電極に送信された漏液検出用信号に対応した出力が他方の漏液検知電極から得られることがなく、したがって、漏液を検出できることになり、また、断線検出モードでは、断線検出用信号が終端素子を通過するので、断線が生じていない限り、一方の漏液検知電極に送信された断線検出用信号に対応した出力が他方の漏液検知電極から得られることになり、したがって、断線を検出できることになる。すなわち、漏液検出モードでは、漏液を検出できる一方、断線検出モードでは、断線を検出できることになる。
また、本発明によると、前記両受信芯線それぞれの他端側より前記信号受信部に入力されたときの各ノイズ成分が、前記各芯線間の浮遊容量により同相状態となるようにしたので、互いに同相状態で受信した両ノイズ成分を相殺除去して漏液検出を高精度で行える。
【０００９】
本発明の一実施態様においては、前記終端素子が、ツェナーダイオードである。
【００１０】
本発明によると、断線検出モードでは、漏液検出用信号よりも電圧レベルの高い断線検出用信号を送信することにより、ツェナーダイオードを導通させて断線を検出することができる。
【００１１】
本発明の好ましい実施態様においては、前記漏液検出モードを、所定の時間間隔で前記断線検出モードに切り換えるものである。
【００１２】
本発明によると、漏液が生じたときには、漏液検出モードで検出できる一方、断線が生じたときには、断線検出モードで検出できることになり、所定の時間間隔の設定によって、漏液および断線のいずれも迅速に検出できる。
【００１５】
本発明の漏液検出システムは、一対の漏液検知電極を有して漏液検知箇所に配置される漏液センサと、前記一対の漏液検知電極の終端側を接続する終端素子と、前記一対の漏液検知電極の始端側が接続される本発明に係る漏液検出器とを備えている。
【００１６】
本発明によると、漏液検出モードで漏液を検出することができるとともに、断線検出モードで断線を検出することができる。
【００１７】
【発明の実施の形態】
以下、本発明の実施の形態について図面を参照して詳細に説明する。
【００１８】
図１を参照して、本実施の形態の漏液検知システムは、漏液センサとしての漏液検知帯１と、配線用ケーブルとしての平衡３芯ケーブル２と、本発明に係る漏液検出器３とを有している。
【００１９】
漏液検知帯１は、例えば特開平５−１８７９５５号公報にも記述されているように絶縁被膜４内に２本の導体５，６が互いに対して一定の間隔を保って収納されるとともに、その絶縁被膜４が前記両導体５，６それぞれの側縁で部分的に欠如されることで両導体５，６を部分的に外部に複数箇所にわたって露出され、それぞれの露出箇所７，８で露出されている導体部分を漏液検知電極５ａ，６ａとしてなる。
【００２０】
この漏液検知帯１は、建物内部の壁面、床面、装置表面など各種漏液検出箇所に配設される。平衡３芯ケーブル２は、相互に絶縁されて平衡状態にある３つの芯線を備えており、それら芯線のうち、任意に選択されたいずれか１つの芯線を漏液検出のための所定電圧の矩形波信号の送信に用いる送信芯線９とされ、残りの２つの芯線をそれぞれ第１および第２受信芯線１０，１１とされている。なお、本実施の形態では平衡３芯ケーブルとしているが、芯線の数は３以上あっても構わない。そして、送信芯線９の一端側は導体５を介して一方の漏液検知電極５ａの始端側に、第１受信芯線１０の一端側は導体６を介して他方の漏液検知電極６ａの始端側に、それぞれ、接続され、第２受信芯線１１は漏液検知帯１に対して無接続とされている。
【００２１】
この実施の形態では、漏液検知帯１自身あるいは漏液検知帯１から漏液検出器３までの配線の断線を検出できるようにするために、漏液検知帯１の一対の漏液検知電極５ａ，６ａの終端側には、終端素子としてのツェナーダイオード５０が双方向に接続されており、漏液検出器３は、漏液を検出する漏液検出モードと断線を検出する断線検出モードとの二つの検出モードを備えている。
【００２２】
漏液検出器３は、漏液を検出するための漏液検出モードでは、所定周期毎（例えば１３５ｍｓ）に図中で簡略的に示される漏液検出用信号としての所定電圧の矩形波信号Ｓ１を送信する一方、断線を検出するための断線検出モードでは、断線検出用信号として前記矩形波信号Ｓ１よりも電圧レベルの高い矩形信号Ｓ５を送信するための送信端子１２と、信号を受信するための第１、第２受信端子１３，１４とを備えるとともに、内部には送信端子１２から信号Ｓ１，Ｓ５を送信する信号送信部と、両受信端子１３，１４で受信された信号Ｓ２，Ｓ３の状態から漏液状態および断線状態を検出する信号受信部とを備えている。この信号送信部と信号受信部とは後述する。なお、信号受信部において前記両受信端子１３，１４側はそれぞれ信号受信部の入力部となる。
【００２３】
こうした漏液検出器３の送信端子１２は送信芯線９の他端側に、第１および第２受信端子１３，１４は第１および第２受信芯線１０，１１の他端側に、それぞれ、接続される。
【００２４】
漏液検出器３は、その動作全体を司るマイクロコンピュータ１５と、マイクロコンピュータ１５から出力される信号Ｓ１，Ｓ５を増幅出力するドライバ１６とを有する。マイクロコンピュータ１５単独であるいはドライバ１６を含めて信号送信部が構成される。
【００２５】
この実施の形態の漏液検出器３は、漏液検出モードでは、マイクロコンピュータ１５は、漏液検知帯１の一方の漏液検知電極５ａに、漏液検出用信号として前記双方向に接続されたツェナーダイオード５０によって遮断される上述の所定電圧Ｖ（例えば５Ｖ）の矩形波信号Ｓ１を送信するとともに、他方の漏液検知電極５ａからの出力を受信し、矩形波信号Ｓ１に対応する信号が受信されたときには、漏液であると判断するものである。
【００２６】
また、断線検出モードでは、マイクロコンピュータ１５は、漏液検知帯１の一方の漏液検知電極５ａに、断線検出用信号として前記双方向に接続されたツェナーダイオードを通過する電圧レベルの高い（例えば１０Ｖ）矩形信号Ｓ５を送信するとともに、後述のようにして他方の漏液検知電極５ａからの出力を受信し、矩形信号Ｓ５に対応する信号が受信されなかったときには、断線であると判断するものである。
【００２７】
つまり、漏液検出モードでは、一対の漏液検知電極５ａ，６ａの終端間に双方向に接続されたツェナーダイオード５０で遮断される、すなわち、漏液検知電極５ａ，６ａと漏液検出器３との間で閉ループを形成することなく、漏液検出用信号を用いて漏液を検出する一方、断線検出モードでは、ツェナーダイオード５０を通過する、すなわち、漏液検知電極５ａ，６ａと漏液検出器３との間で閉ループを形成して断線検出用信号を用いて断線を検出するものであり、各検出モードによって漏液および断線をそれぞれ検出することができる。
【００２８】
この実施の形態では、マイクロコンピュータ１５は、電源投入時に、先ず、断線検出モードとして断線を検出し、その後は、漏液検出モードとして所定の時間間隔、例えば７秒毎に断線検出モードに切り換えるようにしている。
【００２９】
また、断線が検出されたときには、表示ＬＥＤを点滅させて報知するとともに、出力端子から対応する出力を与えるものである。
【００３０】
さらに、この実施の形態では、一旦断線が検出されると、電源が再投入されるまでは、接触不良などでたとえ断線が復旧したとしても断線検出状態を継続するものである。
【００３１】
なお、ツェナーダイオード５０は、終端端子台５１に収納されており、その端子部に、漏液検知帯１の漏液検知電極５ａ，６ａを接続するように構成されている。
【００３２】
絶縁被覆内で一対の導体が対向して容量導体となっている漏液検知帯１は、その使用態様が電源ケーブル等の他の信号ケーブルと隣接して敷設されることが殆どである。そのために漏液検知帯１には他のケーブルからの信号等が電気的なノイズ成分となって侵入しやすく、また空中を伝播する輻射ノイズ成分も侵入しやすい。そのうえ漏液検出器３においてもまた、純度の高い液体を検出する場合では超高感度でなければならないために検出精度がノイズ成分の影響を非常に受けやすい。その一方で、このような漏液検知帯１は、漏液検出器３の設置箇所とか漏液発生箇所によっては漏液検出器までの距離が長く敷設されることが多い。以上のような理由により漏液検知帯１はその敷設長が長くなると、内部の導体間に漏液検出に影響を及ぼす電気的なノイズ成分が検出信号に重畳されやすくなり、漏液検出器３側における漏液検出の誤動作の要因となる。
【００３３】
そこで、この実施の形態では、漏液検出器３から漏液検出箇所までの敷設長が長くなっても電気的なノイズ成分に影響されることなく漏液検出を高精度で行えるように次のように構成している。
【００３４】
漏液検出器３は、複数のブリッジ抵抗として互いに直列に接続されて両受信端子１３，１４間に並列に接続された第１および第２ブリッジ抵抗１６，１７と、複数の分圧抵抗として電圧Ｖの電源とグランドとの間に互いに直列に接続されかつその接続中点が両ブリッジ抵抗１６，１７の接続中点２３に接続される第１および第２分圧抵抗１８，１９とを有する。漏液検出器３はまた、第１受信端子１３の受信信号Ｓ２を増幅する差動増幅器２０と、第２受信端子１４の受信信号Ｓ３を増幅する差動増幅器２１と、この差動増幅器２０，２１それぞれの出力を増幅する差動増幅器２２とを有している。なお、マイクロコンピュータ１５単独、あるいは前記各抵抗、差動増幅器を含めて信号受信部が構成される。差動増幅器２２の両入力部（−）（＋）は、それぞれ、差動増幅器２０，２１の出力部に抵抗２４，２５を介して接続されている。また差動増幅器２２の入力部（＋）は抵抗２６を介して接地されている。差動増幅器２２の入力部（−）と出力部は抵抗２７で接続されている。２８〜３１は抵抗である。
【００３５】
ここで、平衡３芯ケーブル２の各芯線９〜１１間には分布容量Ｃ０１〜Ｃ０３が存在する。これら分布容量Ｃ０１，Ｃ０２，Ｃ０３は互いに等しい。また、第１、第２ブリッジ抵抗１６，１７の抵抗値は互いに等しい。また分圧抵抗１８，１９の抵抗値も互いに等しい。漏液検知帯４から漏液検出箇所に配置される漏液検出器３までの間は平衡３芯ケーブル２で引き回されるので、平衡３芯ケーブル２の敷設距離は長くなるが、漏液検知帯４そのものの敷設距離は短くて済み、したがって、漏液検知帯４内の両導体５，６間の分布容量は無視される程度に小さい。また、平衡３芯ケーブル２内の前記分布容量によってノイズ成分は両受信端子１３，１４それぞれに対し同相同レベルで入力されるようになっている。図中では信号Ｓ３でそのノイズ成分が簡略的に示されている。
【００３６】
今、漏液検出モードにおいて、漏液検出用の信号Ｓ１が送信端子１２を介して平衡３芯ケーブル２の送信芯線９内を通り、漏液検知帯１の一方の導体５に入力される。このとき、漏液検知箇所に漏液の発生が無いときは、漏液検知帯１において対向する漏液検知電極５ａ，６ａ間が短絡されていない。したがって、この場合は、信号Ｓ１は、他方の漏液検知電極６ａにあらわれず、漏液検出器３の両受信端子１３，１４それぞれの信号Ｓ２，Ｓ３はノイズ成分のみとなる。このノイズ成分は、平衡３芯ケーブル２に隣接配置されている他の信号ケーブルからのノイズ成分、あるいは空中からの輻射ノイズ成分などであるが、これらノイズ成分は平衡３芯ケーブル内の前記容量関係によって同相状態で各受信端子１３，１４それぞれにあらわれる。なお、図中では信号Ｓ３はそのノイズ成分で簡略的に示されている。信号Ｓ２は簡略的に信号Ｓ１に対応する信号成分とノイズ成分とが重畳されて示されているが、両漏液検知電極５ａ，６ａ間が短絡していないから、このときの信号Ｓ２は信号Ｓ３と同じノイズ成分だけとなる。
【００３７】
したがって、各受信端子１３，１４に対応する各差動増幅器２０，２１それぞれの入力部に入力される信号Ｓ２，Ｓ３は同相ノイズ成分のみであるから、差動増幅器２０，２１それぞれで増幅されたノイズ成分は次段の差動増幅器２２で相殺除去される結果、差動増幅器２２は、ノイズ成分に影響されることなく漏液していないことを示す信号Ｓ４を出力することができる。なお、図中の信号Ｓ４は次に述べる両漏液検知電極５ａ，６ａ間が短絡したときの信号状態である。
【００３８】
一方、漏液検知箇所に漏液が発生して漏液検知電極５ａ，６ａ間が短絡されると、漏液検出用の信号Ｓ１は、平衡３芯ケーブル２の送信芯線９、漏液検知帯１の導体５、漏液検知電極５ａ、６ａ、導体６、平衡３芯ケーブルの受信芯線１０を通り、漏液検出器３の第１受信端子１３に入力される。
【００３９】
一方、ノイズ成分は、前記と同様、平衡３芯ケーブル２内の前記容量Ｃ０１〜Ｃ０３の関係で第１受信端子１３と第２受信端子１４とにそれぞれ同相で入力される。したがって、差動増幅器２０にはノイズ成分が重畳した図中で示される信号Ｓ２が入力されて増幅され、差動増幅器２１には図中で示されるノイズ成分のみの信号Ｓ３が入力されて増幅される。そして、差動増幅器２２では前記両差動増幅器２０，２１それぞれの出力信号を差動増幅すると、ノイズ成分が相殺除去されて漏液の検知に対応した図中で示される信号Ｓ４のみが差動増幅器２２からは出力される。
【００４０】
したがって、マイクロコンピュータ１５は、漏液検出モードにおいて、差動増幅器２２の出力信号Ｓ４から、漏液検知電極５ａ，６ａ間が漏液によって短絡していると検出する。
【００４１】
一方、漏液検知帯１の一方の漏液検知電極５ａには、漏液検出モードでは、漏液検出用信号として矩形波信号Ｓ１による所定電圧Ｖ（例えば５Ｖ）が印加される。このとき、この漏液検知電極５ａにのみ電圧が印加されると、この漏液検知電極５ａが電蝕されてしまう。そこで、この電蝕を防止するために本実施の形態では、分圧抵抗１８，１９の接続中点の電圧は前記矩形波信号Ｓ１の電圧の中間電圧Ｖ／２（２．５Ｖ）として、この２．５Ｖの電圧が第１受信端子１３に印加されるようにしている。
【００４２】
そのため両漏液検知電極５ａ，６ａ間が短絡された場合、矩形波信号Ｓ１が５Ｖのときは一方の漏液検知電極５ａの電位は５Ｖであるが、他方の漏液検知電極６ａの電位は２，５Ｖである。したがって、両漏液検知電極５ａ，６ａ間の電位差は２．５Ｖであって一方の漏液検知電極５ａには他方の漏液検知電極６ａより相対的に２．５Ｖだけ高い正の電圧が印加され、また、矩形波信号Ｓ１が０Ｖのときは一方の漏液検知電極５ａの電位は０Ｖであるが、他方の漏液検知電極６ａの電位は２．５Ｖである。したがって、両漏液検知電極５ａ，６ａ間の電位差は２．５Ｖであって、他方の漏液検知電極６ａには一方の漏液検知電極５ａの電位より相対的に２．５Ｖだけ高い正の電圧が印加される。そのため、結局、両漏液検知電極５ａ，６ａ間には正負に変化する交流電圧が印加されることとなって前記電蝕が防止される。
【００４３】
なお、上述の実施の形態においては、差動増幅器２０に入力される信号のレベルと、差動増幅器２１に入力される信号のレベルとが等しくなるようにそれぞれの信号をスライスする手段を各差動増幅器２０，２１の前段側に配備することでノイズ成分のレベルが不揃いであってもこのスライスによって揃うことにより、ノイズ成分の完全な除去が可能となる。また、このようにスライスすることで高電圧のノイズ成分で差動増幅器２０，２１が破損されることを防止できる。また、両受信端子１３，１４それぞれに不均衡に高周波ノイズ成分が印加される場合は高周波ノイズ除去フィルタを設けても構わない。
【００４４】
また、本実施の形態ではブリッジ抵抗１６，１７と平衡３芯ケーブル２内の前記分布容量Ｃ０１〜Ｃ０３とでブリッジ回路が構成されているので、第１受信端子１３に入力される信号Ｓ３のレベルが低くても、漏液検知を高感度で行うことができる。
【００４５】
なお、上述の実施の形態においては、漏液検知電極５ａ，６ａは漏液検知帯１内で構成されているため、送信芯線９、受信芯線１０は漏液検知電極５ａ，６ａそれぞれに間接に接続されているが、これに限定されるものではなく、漏液検知電極５ａ，６ａそのものが漏液検知箇所に対向配置され、送信芯線９、受信芯線１０が直接、漏液検知電極５ａ，６ａに接続されても構わない。なお、前記間接には、平衡３芯ケーブル２と漏液検知帯１との間に中継端子台を介して接続されるものも含む。
【００４６】
なお、上述の実施の形態においては、差動増幅器２０，２１を用いたが、これらを省略し、両受信端子１３，１４を直接、差動増幅器２２に接続してもノイズ成分の相殺除去が可能である。
【００４７】
上述の実施の形態では、終端素子として、ツェナーダイオードを用いたけれども、本発明の他の実施の形態として、終端素子としてコンデンサを設け、両漏液検知電極５ａ，６ａ間に印加される交流電圧の周波数を異ならせた漏液検出用信号と断線検出用信号とを用いて漏液および断線を検出するようにしてもよい。例えば、１マイクロファラッドのコンデンサを終端素子とし、漏液検出用信号の周波数を７．５Ｈｚ、断線検出用信号の周波数を、１ｋＨｚとしてもよい。
【００４８】
上述の実施の形態では、漏液検出器３は、二つの信号受信部１３，１４を有してノイズ成分を相殺除去するようにしたけれども、本発明の他の実施の形態として、図２に示されるように、一つの信号受信部１３だけで構成してもよく、さらに、漏液検出用信号の送信回路５２とその受信回路５３を設けるとともに、断線検出用信号の送信回路５４およびその受信回路５５設け、さらに、漏液検出モードでは、漏液検知電極５ａ，６ａに前記漏液検出用信号の送信回路５２とその受信回路５３とをそれぞれ接続し、断線検出モードでは、断線検出用信号の送信回路５４およびその受信回路５５を切り換え接続する切り換え回路５６を設けるようにしてもよい。なお、図２において、図１に対応する部分には、同一の参照符号を付しており、配線ケーブルとして平衡２芯ケーブル２ａを用いている。
【００４９】
【発明の効果】
以上のように本発明によれば、漏液検出用信号は遮断し、断線検出用信号は通過させる終端素子によって一対の漏液検知電極の終端側を接続したので、漏液検出モードでは、漏液検出用信号を一方の漏液検知電極に送信して他方の漏液検知電極の出力を受信することよって漏液を検出することができ、また、断線検出モードでは、断線検出用信号を一方の漏液検知電極に送信して他方の漏液検知電極の出力を受信することよって断線を検出することができる。
【図面の簡単な説明】
【図１】本発明の実施形態に係る漏液検出システムの回路図
【図２】本発明の他の実施の形態に係る漏液検出システムの回路図
【符号の説明】
１  漏液検知帯
２  平衡３芯ケーブル
３  漏液検出器
５ａ，６ａ  漏液検知電極
９  送信芯線
１０  第１受信芯線
１１  第２受信芯線
１２  送信端子
１３  第１受信端子
１４  第２受信端子
５０  ツェナーダイオード
【図１】
0004081954.tif 000002
【図２】
0004081954.tif 000003